(57)【要約】【課題】ゴルフのプレーヤーの美的欲求や遊び心を満足させるためのゴルフティー用の装飾具または装飾具兼ゴルフティーを提供する。【解決手段】装飾具兼ゴルフティー１は、ゴルフボールを上に載せる部分である載置部３２と、載置部３２から下方に延伸するように設けられた軸部３１と、リング形状を備え軸部３１の周りに取り付けられた装飾具２１とを備えている。軸部３１には、載置部３２側の端部に被取付部３１１が設けられている。ユーザは、鎖等の紐状体を被取付部３１１に取り付けることにより、装飾具兼ゴルフティー１をペンダント等のアクセサリーとして用いることができる。【選択図】図４
0003153677.tif 000002
【実用新案登録請求の範囲】
【請求項１】
中央にゴルフティーの軸を嵌合するための円筒状の孔を有する
ゴルフティー用の装飾具。
【請求項２】
リング形状の基部と、
前記基部の外径側面部に設けられた、少なくともガラス、宝石、金属、彫刻および塗装のいずれかによる装飾部と
を備える
請求項１に記載のゴルフティー用の装飾具。
【請求項３】
前記孔の直径は、３ミリメートル以上かつ５ミリメートル以下である
請求項１または２に記載のゴルフティー用の装飾具。
【請求項４】
本体部分と、
前記本体部分から突出した、ゴルフティーの軸に嵌着するためのＣ字形状、コの字形状もしくはＯ字形状の取付部と
を備える
ゴルフティー用の装飾具。
【請求項５】
前記本体部分は、弾力性のある素材により成形された中空の部材である
請求項４に記載のゴルフティー用の装飾具。
【請求項６】
前記本体部分は、当該本体部分の内外に空気が出入り可能な空気孔を備える
請求項５に記載のゴルフティー用の装飾具。
【請求項７】
前記空気孔を通じて前記本体部分の内部から外部に押し出される空気の力により発音を行う発音部を備える
請求項６に記載のゴルフティー用の装飾具。
【請求項８】
匂いを発散する発香部を前記本体部分の内部に備える
請求項６または７に記載のゴルフティー用の装飾具。
【請求項９】
前記本体部分がキャラクターの形状を有している
請求項４乃至８のいずれかに記載のゴルフティー用の装飾具。
【請求項１０】
軸方向の長さが、３ミリメートル以上かつ５センチメートル以下である
請求項１乃至９のいずれかに記載のゴルフティー用の装飾具。
【請求項１１】
請求項１乃至１０のいずれかに記載のゴルフティー用の装飾具と、
ゴルフボールを載置するための載置部と、前記載置部から延伸する軸部とを有し、前記装飾具が前記軸部に装着されているゴルフティーと
を備える
装飾具兼ゴルフティー。
【請求項１２】
前記軸部に嵌合され、前記軸部の一部が地面に対し垂直に突き刺された状態において、前記装飾具を下側から支えるリング形状の支持部を備える
請求項１１に記載の装飾具兼ゴルフティー。
【請求項１３】
ゴルフボールを載置するための載置部と、
前記載置部から延伸する軸部と、
前記軸部の外径側面部に設けられた、少なくともガラス、宝石、金属、彫刻および塗装のいずれかによる装飾部と
を備える
装飾具兼ゴルフティー。
【請求項１４】
前記載置部および前記軸部は、金属で形成されている
請求項１１乃至１３のいずれかに記載の装飾具兼ゴルフティー。
【請求項１５】
前記軸部は、前記装飾具兼ゴルフティーを吊り下げる紐状体を取り付けるための被取付部を備える
請求項１１乃至１４のいずれかに記載の装飾具兼ゴルフティー。
【請求項１６】
前記被取付部は、前記軸部の前記載置部側の端部に設けられた孔である
請求項１５に記載の装飾具兼ゴルフティー。
【考案の詳細な説明】
【技術分野】
【０００１】
本考案は、ゴルフティーの見た目を良くするゴルフティー用の装飾具および装飾具兼ゴルフティーに関する。
【背景技術】
【０００２】
ゴルフティーは、ゴルフボールをプレーヤーの所望の位置に載置するものであるが、その軸の一部を地面に差し込んで使用するものであるため、差し込む長さによってはゴルフボールの位置が望ましい高さにならないことがある。そこで、例えば位置決めのためのリングをゴルフティーの軸周りに取り付ける方法が提案されている。この方法によれば、ユーザは、取り付けられたリングの位置までゴルフティーを地面に差し込むことにより、容易にボールを所望の高さに設置することが可能となる。
【０００３】
このように、ゴルフティーの機能を向上させるためにリング状の物品をゴルフティーに具備させることは、従来から行われている。
【考案の概要】
【考案が解決しようとする課題】
【０００４】
ゴルフに華やかさを加えたり、ゴルフに遊び心を与えたりするために、ゴルフティーに工夫を凝らす、という発想はそもそもあまりなかった。
【０００５】
本考案は、ゴルフのプレーヤーの美的欲求や遊び心を満足させるためのゴルフティー用の装飾具または装飾具兼ゴルフティーを提供することを目的とする。
【課題を解決するための手段】
【０００６】
本考案は、上記の目的に鑑みて想到されたものであり、
中央にゴルフティーの軸を嵌合するための円筒状の孔を有する
ゴルフティー用の装飾具を提供する（第１の実施態様）。
【０００７】
また、上記の第１の実施態様において、
リング形状の基部と、
前記基部の外径側面部に設けられた、少なくともガラス、宝石、金属、彫刻および塗装のいずれかによる装飾部と
を備える
構成を採用してもよい（第２の実施態様）。
【０００８】
また、上記の第１または２の実施態様において、
前記孔の直径は、３ミリメートル以上かつ５ミリメートル以下である
構成を採用してもよい（第３の実施態様）。
【０００９】
また、本考案は、
本体部分と、
当該本体部分から突出した、ゴルフティーの軸に嵌着するためのＣ字形状、コの字形状もしくはＯ字形状の取付部と
を備える
ゴルフティー用の装飾具を提供する（第４の実施態様）。
【００１０】
また、上記の第４の実施態様において、
前記本体部分は、弾力性のある素材により成形された中空の部材である
構成を採用してもよい（第５の実施態様）。
【００１１】
また、上記の第５の実施態様において、
前記本体部分は、当該本体部分の内外に空気が出入り可能な空気孔を備える
構成を採用してもよい（第６の実施態様）。
【００１２】
また、上記の第６の実施態様において、
前記空気孔を通じて前記本体部分の内部から外部に押し出される空気の力により発音を行う発音部を備える
構成を採用してもよい（第７の実施態様）。
【００１３】
また、上記の第６または７の実施態様において、
匂いを発散する発香部を前記本体部分の内部に備える
構成を採用してもよい（第８の実施態様）。
【００１４】
また、上記の第４乃至８のいずれかの実施態様において、
前記本体部分がキャラクターの形状を有している
構成を採用してもよい（第９の実施態様）。
【００１５】
また、上記の第１乃至９のいずれかの実施態様において、
軸方向の長さが、３ミリメートル以上かつ５センチメートル以下である
構成を採用してもよい（第１０の実施態様）。
【００１６】
また、本考案は、
上記の第１乃至１０のいずれかの実施態様にかかるゴルフティー用の装飾具と、
ゴルフボールを載置するための載置部と、前記載置部から延伸する軸部とを有し、前記装飾具が前記軸部に装着されているゴルフティーと
を備える
装飾具兼ゴルフティーを提供する（第１１の実施態様）。
【００１７】
また、上記の第１１の実施態様において、
前記軸部に嵌合され、前記軸部の一部が地面に対し垂直に突き刺された状態において、前記装飾具を下側から支えるリング形状の支持部を備える
構成を採用してもよい（第１２の実施態様）。
【００１８】
また、本考案は、
ゴルフボールを載置するための載置部と、
前記載置部から延伸する軸部と、
前記軸部の外径側面部に設けられた、少なくともガラス、宝石、金属、彫刻および塗装のいずれかによる装飾部と
を備える
装飾具兼ゴルフティーを提供する（第１３の実施態様）。
【００１９】
また、上記の第１１乃至１３のいずれかの実施態様において、
前記載置部および前記軸部は金属で形成されている
構成を採用してもよい（第１４の実施態様）。
【００２０】
また、上記の第１１乃至１４のいずれかの実施態様において、
前記軸部は、前記装飾具兼ゴルフティーを吊り下げる紐状体を取り付けるための被取付部を備える
構成を採用してもよい（第１５の実施態様）。
【００２１】
また、上記の第１５の実施態様において、
前記被取付部は、前記軸部の前記載置部側の端部に設けられた孔である
構成を採用してもよい（第１６の実施態様）
【考案の効果】
【００２２】
本考案の第１の実施態様にかかるゴルフティー用の装飾具は、中央に設けられた孔にゴルフティーの軸を嵌合した状態でゴルフティーを装飾するので、プレーヤーの美的欲求を満足させることができる。
【００２３】
また、本考案の第２の実施態様にかかるゴルフティー用の装飾具は、リング形状の基部と当該基部の外径側面部に設けられた少なくともガラス、宝石、金属、彫刻および塗装のいずれかによる装飾部とを備えるので、それらの装飾部による装飾を好むプレーヤーの美的欲求を満足させることができる。
【００２４】
また、本考案の第３の実施態様にかかるゴルフティー用の装飾具は、孔の直径が３ミリメートル以上かつ５ミリメートル以下なので、ゴルフティーの軸が緩みなく嵌る構成を選択することができる。
【００２５】
また、本考案の第４の実施態様にかかるゴルフティー用の装飾具は、本体部分と当該本体部分から突出したゴルフティーの軸に嵌着するためのＣ字形状、コの字形状もしくはＯ字形状の取付部とを備えるので、ゴルフティーの軸に対し側方から、もしくは下方から、容易に装着することができる。
【００２６】
また、本考案の第５の実施態様にかかるゴルフティー用の装飾具は、本体部分が弾力性のある素材により成形された中空の部材なので、軽くて壊れにくい。
【００２７】
また、本考案の第６の実施態様にかかるゴルフティー用の装飾具は、本体部分の内外に空気が出入り可能な空気孔を備えているので、誤ってクラブで叩いても容易に破裂するようなことがない。
【００２８】
また、本考案の第７の実施態様にかかるゴルフティー用の装飾具は、上述の空気孔を通じて本体部分の内部から外部に押し出される空気の力により発音を行う発音部を備えるので、クラブで叩いた場合、プレーヤーの遊び心を満足させたり緊張をほぐしたりするような音を出すことができる。
【００２９】
また、本考案の第８の実施態様にかかるゴルフティー用の装飾具は、匂いを発散する発香部を本体部分の内部に備えるので、クラブで叩いた場合、プレーヤーの遊び心を満足させたり緊張をほぐしたりするような匂いを上述の空気孔を通じて本体の外側に出すことができる。
【００３０】
また、本考案の第９の実施態様にかかるゴルフティー用の装飾具は、本体部分がキャラクターの形状を有しているので、プレーヤー等の遊び心をさらに満足させることができる。
【００３１】
また、本考案の第１０の実施態様にかかるゴルフティー用の装飾具は、軸方向の長さが３ミリメートル以上かつ５センチメートル以下なので、プレーヤーがゴルフティー自体の長さに合わせて適した長さの装飾具を選択すれば、望ましい装飾効果をもたらすとともにゴルフのプレーの邪魔にならない。
【００３２】
また、本考案の第１１の実施態様にかかる装飾具兼ゴルフティーは、上記の第１乃至１０のいずれかの実施態様にかかるゴルフティー用の装飾具が、ゴルフティーの軸部に装着されているので、上記と同様の効果を有する。
【００３３】
また、本考案の第１２の実施態様にかかる装飾具兼ゴルフティーは、ゴルフティーの軸部に嵌合され上記の装飾具を下側から支持するリングを備えるので、当該装飾具が軸方向の下向きにずれることがなく、さらにプレーヤーがプレー時にゴルフティーを地面に差し込む深さの位置決めを容易に行うことができる。
【００３４】
また、本考案の第１３の実施態様にかかる装飾具兼ゴルフティーは、軸部の外径側面部に設けられた少なくともガラス、宝石、金属、彫刻および塗装のいずれかによる装飾部を備えるので、それらの装飾部による装飾を好むプレーヤーの美的欲求を満足させることができる。
【００３５】
また、本考案の第１４の実施態様にかかる装飾具兼ゴルフティーは、載置部および軸部が金属で形成されているので、木製等のゴルフティーよりも壊れにくいとともに、独特の質感によりプレーヤーの美的欲求を満足させることができる。
【００３６】
また、本考案の第１５の実施態様にかかる装飾具兼ゴルフティーは、軸部が装飾具兼ゴルフティーを吊り下げる紐状体を取り付けるための被取付部を備えるので、ゴルフのプレー中か否かにかかわらず、ペンダント等のアクセサリーとして使用することができる。
【００３７】
また、本考案の第１６の実施態様にかかる装飾具兼ゴルフティーは、上述の被取付部が軸部の載置部側の端部に設けられた孔なので、当該装飾具兼ゴルフティーを吊り下げる紐状体を容易に取り付けることができる。
【図面の簡単な説明】
【００３８】
【図１】図１は、本考案の実施形態にかかる装飾具兼ゴルフティーを示す図である。
【図２】図２は、本考案の実施形態の一変形例を示す図である。
【図３】図３は、本考案の実施形態の一変形例を示す図である。
【図４】図４は、本考案の実施形態の一変形例を示す図である。
【考案を実施するための形態】
【００３９】
（実施形態）
以下、本考案の具体例である実施形態にかかるゴルフティー用の装飾具２１および装飾具兼ゴルフティー１を、図面を用いて説明する。
【００４０】
図１は、装飾具２１と、装飾具２１の孔に軸部３１を嵌合した状態のゴルフティー３と、軸部３１に嵌合され装飾具２１を軸部３１の軸方向の下側から支持するリング形状の支持部４と、を備えた装飾具兼ゴルフティー１を示している。
【００４１】
ゴルフティー３は、ゴルフボールを載置するための載置部３２と、載置部３２から延伸する軸部３１と、を備えている。ゴルフティー３の軸部３１の直径は一般的なものであり、例えば４．３ミリメートルである。また、ゴルフティー３の軸方向の長さは一般的なものであり、例えば７センチメートルである。さらに、ゴルフティー３は、例えば木製、合成樹脂製、金属製のもの等、既知のいずれの原料から製造されたものであってもよい。
【００４２】
装飾具２１は、例えばリング形状の基部と、当該基部の外径側面部に埋め込まれた有色のガラスからなる装飾部とで構成される。リング形状の基部は、リング状に配置されたアルミ製の複数の中空ブロックを備えている。リング形状の基部を構成する中空ブロックの各々は、内部で、例えばナイロン糸により隣接する他の中空ブロックと連結されている。装飾具２１の中央の孔は、その孔にゴルフティー３の軸部３１が挿通されていない状態において、例えば直径３．８ミリメートルであるが、ゴルフティー３の軸部３１が挿通されるとナイロン糸の弾性によりその直径が拡大し、軸部３１の直径にフィットする。
【００４３】
さらに、装飾具２１の軸方向の長さは、装飾具２１が望ましい装飾効果を有するとともにプレーの邪魔にならないように、例えば５ミリメートルを採用している。
【００４４】
リング形状の支持部４は、上述のように装飾具２１を支持する目的と、プレー時に軸部３１を地面に差し込む深さの位置決めをする目的とを有する。したがって、リング形状の支持部４は、例えばシリコン製であり、内径の大きさは例えば３．８ミリメートルであり、軸部３１に嵌合されて固定され多少の外力では移動しないようになっている。
【００４５】
なお、リング形状の支持部４は、プレー時に装飾具兼ゴルフティー１に通常、加えられることが予想される強さの衝撃によっては移動しないことが必要である。そのような衝撃によってリング形状の支持部４が移動したのでは、上記の目的を果たしているとはいえないためである。また、プレー時には、ゴルフボールから受けた衝撃により装飾具兼ゴルフティー１が地面から抜け、飛ぶことがあるが、その際にもしリング形状の支持部４が外れると、装飾具２１がゴルフティー３から外れて飛んでゆき、紛失してしまうおそれがあり、望ましくないためである。
【００４６】
なお、リング形状の支持部４の断面は、例えば直径１ミリメートル以上かつ２ミリメートル以下の円であるが、これに限定されるものではない。
【００４７】
軸部３１を装飾具２１の孔に挿通し、その後にリング形状の支持部４が軸部３１に嵌合されて固定され、軸部３１の一部が地面に対し垂直に突き刺された状態において下側からリング形状の支持部４で装飾具２１を支持することにより、装飾具兼ゴルフティー１の全体が構成される。
【００４８】
以上のような構成により、装飾具兼ゴルフティー１は、ゴルフのプレー中あるいはプレー中以外のときにおいても、当事者および周りの人々の目を楽しませ美的欲求を満足させることができる。
【００４９】
なお、装飾具２１の中央の孔の直径は、軸部３１が孔に挿通されていない状態で例えば３．８ミリメートルであるとしたが、軸部３１を緩みのない状態で嵌合するという目的から、３ミリメートル以上かつ５ミリメートル以下の範囲で適宜選択すればよい。
【００５０】
また、装飾具２１の軸方向の長さは、例えば５ミリメートルであるとしたが、装飾具２１が望ましい装飾効果を有するとともにプレーの邪魔にならないように、３ミリメートル以上かつ５センチメートルの範囲から、ゴルフティー３自体の長さに合わせて適宜選択すればよい。
【００５１】
また、装飾具２１は、例えばリング形状の基部を備えるとしたが、中央に軸部３１を嵌合するための円筒状の孔を有すれば、リング形状でなくてもよい。
【００５２】
また、上述のリング形状の基部は、例えばアルミ製であるとしたが、アルミ以外の金属製、木製、合成樹脂製等であってもよい。また、当該リング形状の基部を装飾する装飾部は例えば有色のガラスであるとしたが、少なくともガラス、宝石、金属、彫刻および塗装のいずれかによるものであればよい。また、当事者および周りの人々の目を楽しませ美的欲求を満足させるという目的が果たせるならば、それらによる装飾がなくリング形状の基部の形状および材質のみによる装飾であってもよい。
【００５３】
また、リング形状の取付部４は、適度な弾性と強度を備え軸部３１にしっかりと嵌合され固定されるものであれば、シリコン製のものでなくてもよい。
（変形例）
上述した実施形態は、本考案の技術的思想の範囲内で様々に変形可能である。以下にその変形例を示す。
【００５４】
（第１変形例）
本変形例は、装飾具２２が、本体部分２２１と、軸部３１に嵌着するためのＣ字形状の取付部２２２とを備える構成を採用する。このような構成により、装飾具２２を軸部３１に対しその側方から容易に装着することができる。
【００５５】
図２は、装飾具２２およびゴルフティー３を備える装飾具兼ゴルフティー１を示している。
【００５６】
装飾具２２は、例えばキャラクターの形状を有している本体部分２２１と、例えば本体部分２２１の側面から突出したＣ型リングからなるＣ字形状の取付部２２２と、を備えている。
【００５７】
なお、本願において、「キャラクター」とは、小説・映画・演劇・漫画等に登場する特定の特徴・性質を備えた人物、動物、植物等のイメージを表す物体に限定されず、例えば実在する動植物等をそのまま模したものなども含む広い概念である。
【００５８】
本体部分２２１は、例えば塩化ビニル樹脂等の弾力性のある素材により成形された中空の部材であることから軽くて壊れにくく、また例えば側面部に本体部分２２１の内外に空気が出入り可能な空気孔２２１１を備えていることからプレー中に誤ってクラブで叩かれた場合でも、破裂するような危険が少ない。
【００５９】
また、本体部分２２１は、例えば空気孔２２１１を通じて本体部分２２１の内部から外部に押し出される空気の力により発音を行う発音部を備えているので、クラブで叩かれると、プレーヤーの遊び心を満足させたり緊張をほぐしたりするような音が発せられる。この場合、装飾具２２は、本体部分２２１とＣ字形状の取付部２２２と発音部とから構成されることになる。
【００６０】
発音部が発音する仕組みは例えば次のとおりである。本体部分２２１がクラブで叩かれることにより本体部分２２１の内部の圧力が高くなり、結果として当該内部から外部への空気の流れが空気孔２２１１において生じる。上述の発音部は、例えばリードを用いてこの空気の流れに圧力の振動を与える。その圧力の微小擾乱が一定以上の振幅で可聴周波数範囲内の音波として本体の外側に伝わる。ここで、一定以上の振幅とは、当該発音部から発せられる音波が少なくともプレーヤー本人に音として認識される程度の大きさの振幅という意味である。
【００６１】
さらに、装飾具２２は、匂いを発散する発香部を本体部分２２１の内部に備えてもよい。この場合、装飾具２２は、本体部分２２１とＣ字形状の取付部２２２と発香部とから構成されることになる。
【００６２】
本体部分２２１がクラブで叩かれることにより、上述の発香部が空気孔２２１１を通じて本体部分２２１の外側に匂いを発散する。結果としてその匂いが、プレーヤーの遊び心を満足させたり緊張をほぐしたりすることになる。
【００６３】
具体的には、この発香部は、例えば液体の芳香剤を充填した破割性の素材（例えば、ガラス、硬質プラスチックなど）のアンプルと、当該アンプルの周囲を覆う吸収性素材と、当該吸収性素材をさらに外側から覆う可撓性の容器で構成されている。この可撓性の容器には、芳香の発散用の小孔が多数設けられている。プレーヤーが誤ってクラブで本体部分２２１を叩くと、本体部分２２１の内部のアンプルが割れて、液体の芳香剤が吸収性素材に一旦吸収された後、その揮発成分が可撓性の容器の小孔から徐々に発散し、空気孔２２１１を通じて外部に流れ出ることになる。
【００６４】
なお、粉状もしくは粒状の芳香剤が、そのままの状態で中空の本体部分２２１の内部に収納されていてもよい。そのような構成において本体部分２２１がクラブで叩かれると、叩かれた衝撃で芳香が空気孔２２１１から流れ出し、上述したものと同様の効果が得られる。
【００６５】
Ｃ字形状の取付部２２２は、上述のように例えばＣ型リングからなり、装飾具２２をゴルフティー３に装着する際に軸部３１に嵌着される。Ｃ字形状の取付部２２２は、上述のように例えば本体部分２２１の側面から突出しており、軸部３１に嵌着されたときに本体部分２２１の動揺がないように取り付け部分の中心方向への付勢によりしっかりと軸部３１に固定される。
【００６６】
なお、プレー時に装飾具兼ゴルフティー１の上に載置されたゴルフボールをクラブで叩いた衝撃によっては、装飾具２２がゴルフティー３から外れないことが必要である。
【００６７】
本体部分２２１から突出したＣ字形状の取付部２２２を軸部３１に嵌着することにより、装飾具兼ゴルフティー１の全体が構成される。
【００６８】
以上のような構成により、装飾具兼ゴルフティー１は、ゴルフのプレー中あるいはプレー中以外のときにおいても、当事者および周りの人々の目を楽しませ美的欲求を満足させるとともに、音や匂いによって遊び心も満足させることができる。
【００６９】
なお、本体部分２２１は、キャラクターの形状ではなくて単なる三次元形状の物体であってもよい。また、本体部分２２１は、プレーヤー等の美的欲求等を満足させるものであれば、中空でなくてもよく、さらに、弾力性のある素材で成形された部材でなくてもよい。
【００７０】
また、Ｃ字形状の取付部２２２は、Ｃ型リングでなくてもＣ字型もしくはコの字型の形状を有する取付具であればよい。この取付具には、洗濯バサミ状のバネで付勢するようなものも含まれる。さらに、取付部２２２をＯ字型の形状としてもよい。その場合、装飾具２２は軸部３１の下方からゴルフティー３の取り付けられることになる。
【００７１】
また、装飾具２２の軸方向の長さは、上述の実施形態にかかる装飾具２１と同様に、装飾具２２が望ましい装飾効果を有するとともにプレーの邪魔にならないように、３ミリメートル以上かつ５センチメートルの範囲から、ゴルフティー３自体の長さに合わせて適宜選択すればよい。
【００７２】
また、装飾具兼ゴルフティー１が、上述の実施形態と同様にリング形状の支持具４を備える構成を採用してもよい。このリング形状の支持具４は、軸部３１に嵌着されているＣ字形状の取付部２２２を、軸部３１の一部が地面に対し垂直に突き刺された状態において下側から支持する。この場合、装飾具兼ゴルフティー１は、装飾具２２とゴルフティー３とリング形状の支持具４とから構成されることになる。このような構成にすることにより、装飾具２２が下向きにずれることを防止することができる。
【００７３】
（第２変形例）
本変形例は、装飾具兼ゴルフティー１が、装飾具２１、２２のような別途に設けられた装飾具を備えておらず、軸部３１の外径側面部に設けられた装飾部を備える構成を採用する。このような構成の装飾具兼ゴルフティー１も、プレーヤーの美的欲求を満足させることができる。
【００７４】
図３は、載置部３２と、軸部３１と、軸部３１の外径側面部に設けられた塗装による装飾部とを備える、装飾具兼ゴルフティー１を示している。
【００７５】
なお、上記の装飾部は塗装のみによるものでなくとも、少なくともガラス、宝石、金属、彫刻および塗装のいずれかによるものであればよい。
【００７６】
（第３変形例）
本変形例は、装飾具兼ゴルフティー１が、装飾具兼ゴルフティー１を吊り下げる紐状体を取り付けるための被取付部３１１を備える構成を採用する。このような構成により、装飾具兼ゴルフティー１は、ペンダント等のアクセサリーとして使用することができる。
【００７７】
図４は、上述の実施形態にかかる装飾具兼ゴルフティー１の軸部３１が、被取付部３１１を備えた例を示している。
【００７８】
被取付部３１１は、例えば軸部３１の載置部３２側の端部に設けられた孔である。
【００７９】
この孔に例えば首飾り用の鎖のフックを引っ掛けることにより、装飾具兼ゴルフティー１がペンダントとして機能する。すなわち、プレー時には鎖から外して装飾具兼ゴルフティー１を使用し、持ち運ぶ際には鎖に付けてペンダントとして使用することが考えられる。
【００８０】
なお、上述のような位置に被取付部３１１を配置することにより、装飾具兼ゴルフティー１をペンダントとしてぶら下げたときに、装飾具兼ゴルフティー１は見た目良く上下左右方向にバランスすることになる。したがって、結果として見た目のバランスが良くなるのであれば、被取付部３１１の位置は上述のような位置でなくてもよい。
【００８１】
また、被取付部３１１は、装飾具兼ゴルフティー１を吊り下げるための紐状体を取り付けるという目的が果たせれば、上述のような孔でなくとも当該紐状体を取り付けることができる何らかの機構であればよい。
【００８２】
また、上述の第１変形例もしくは第２変形例にかかる装飾具兼ゴルフティー１に被取付部３３１を備えて、それらをペンダントとして使用してもよい。
【産業上の利用可能性】
【００８３】
本考案のゴルフティー用の装飾具または装飾具兼ゴルフティーは、アクセサリーとして使用する等の様々な工夫によりプレーヤーの美的欲求や遊び心を満足させることができる。
以上のことから、本考案の装飾具または装飾具兼ゴルフティーは、ゴルフのプレー中のみならず様々なアトラクション、社交の場等においても利用されることが期待できる。
【符号の説明】
【００８４】
１…装飾具兼ゴルフティー、２１、２２…装飾具、２２１…本体部分、２２１１…空気孔、２２２…取付部、３…ゴルフティー、３１…軸部、３１１…被取付部、３２…載置部、４…支持部
【図１】
0003153677.tif 000003
【図２】
0003153677.tif 000004
【図３】
0003153677.tif 000005
【図４】
0003153677.tif 000006
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
中央にゴルフティーの軸を嵌合するための円筒状の孔を有する
ゴルフティー用の装飾具。
【請求項２】
リング形状の基部と、
前記基部の外径側面部に設けられた、少なくともガラス、宝石、金属、彫刻および塗装のいずれかによる装飾部と
を備える
請求項１に記載のゴルフティー用の装飾具。
【請求項３】
前記孔の直径は、３ミリメートル以上かつ５ミリメートル以下である
請求項１または２に記載のゴルフティー用の装飾具。
【請求項４】
本体部分と、
前記本体部分から突出した、ゴルフティーの軸に嵌着するためのＣ字形状、コの字形状もしくはＯ字形状の取付部と
を備える
ゴルフティー用の装飾具。
【請求項５】
前記本体部分は、弾力性のある素材により成形された中空の部材である
請求項４に記載のゴルフティー用の装飾具。
【請求項６】
前記本体部分は、当該本体部分の内外に空気が出入り可能な空気孔を備える
請求項５に記載のゴルフティー用の装飾具。
【請求項７】
前記空気孔を通じて前記本体部分の内部から外部に押し出される空気の力により発音を行う発音部を備える
請求項６に記載のゴルフティー用の装飾具。
【請求項８】
匂いを発散する発香部を前記本体部分の内部に備える
請求項６または７に記載のゴルフティー用の装飾具。
【請求項９】
前記本体部分がキャラクターの形状を有している
請求項４乃至８のいずれかに記載のゴルフティー用の装飾具。
【請求項１０】
軸方向の長さが、３ミリメートル以上かつ５センチメートル以下である
請求項１乃至９のいずれかに記載のゴルフティー用の装飾具。
【請求項１１】
請求項１乃至１０のいずれかに記載のゴルフティー用の装飾具と、
ゴルフボールを載置するための載置部と、前記載置部から延伸する軸部とを有し、前記装飾具が前記軸部に装着されているゴルフティーと
を備える
装飾具兼ゴルフティー。
【請求項１２】
前記軸部に嵌合され、前記軸部の一部が地面に対し垂直に突き刺された状態において、前記装飾具を下側から支えるリング形状の支持部を備える
請求項１１に記載の装飾具兼ゴルフティー。
【請求項１３】
前記載置部および前記軸部は、金属で形成されている
請求項１１または１２に記載の装飾具兼ゴルフティー。
【請求項１４】
前記軸部は、前記装飾具兼ゴルフティーを吊り下げる紐状体を取り付けるための被取付部を備える
請求項１１乃至１３のいずれかに記載の装飾具兼ゴルフティー。
【請求項１５】
前記被取付部は、前記軸部の前記載置部側の端部に設けられた孔である
請求項１４に記載の装飾具兼ゴルフティー。